(57)【要約】【課題】什器への加工及び部品点数を最小限とし、安定脚を低コストで容易に、かつ体裁よく取付けることができるようにする。【解決手段】支柱２の側面に設けた、開口部の幅が奥部よりも小さな上下方向の係合溝４内に、めねじ孔２２を有する板ナット１８を嵌合し、安定脚３側面に、係合溝４の奥部まで挿入可能な突部１７を設けるとともに、この突部１７よりも上方の安定脚３に、段付孔１５を、その中心から突部１７の上面までの上下寸法が、板ナット１８の下端からめねじ孔２２の中心までの上下寸法とほぼ等しくなるように設け、板ナット１８を、前記突部１７の上面により支持して位置決めし、段付孔１５に挿入した固定ねじ２３を板ナット１８のめねじ孔２２に螺合して締め付けることにより、安定脚３を支柱２に取付ける。【選択図】  図４
2011147519.tif 000002
【特許請求の範囲】
【請求項１】
床面に載置した上下方向を向く什器の下端部に、什器を床面に安定よく自立させる安定脚を取付ける取付構造であって、
前記什器における安定脚の上下方向を向く取付面に、開口部の幅を奥部よりも小とした上下方向の係合溝を設け、この係合溝内に、その開口部側に開口するめねじ孔を有する板ナットを、上下方向に摺動可能に嵌合し、前記安定脚における前記係合溝と対向する側面に、係合溝の開口部を介して係合溝の奥部まで挿入可能な位置決め用の突部を設けるとともに、この突部よりも上方において安定脚に、前記めねじ孔と同方向を向く固定ねじ挿入用の挿入孔を、その中心から前記突部の上面までの上下寸法が、前記板ナットの下端からめねじ孔の中心までの上下寸法とほぼ等しくなるように設け、前記板ナットを、前記係合溝に挿入した前記安定脚の突部の上面により支持して位置決めし、前記挿入孔に挿入した固定ねじを板ナットのめねじ孔に螺合して締め付けることにより、安定脚を什器に取付けたことを特徴とする什器への安定脚の取付構造。
【請求項２】
支柱における係合溝の下端の開口部に、係合溝に嵌合した板ナットを支持しうる塞ぎ材を設けるとともに、板ナットの下面に、安定脚側に向かって斜め上向きに傾斜する被案内面を設け、この被案内面と前記塞ぎ材の上面との間に形成される隙間に、安定脚の突部を挿入しうるようにしてなる請求項１記載の什器への安定脚の取付構造。
【請求項３】
安定脚の突部の上面に、板ナットの被案内面と摺接可能な、什器側に向かって斜め下向きに傾斜する案内面を設けてなる請求項２記載の什器への安定脚の取付構造。
【請求項４】
突部の幅寸法を、係合溝の開口部の幅寸法とほぼ同寸または僅かに小としてなる請求項１〜３のいずれかに記載の什器への安定脚の取付構造。
【請求項５】
安定脚における挿入孔と上下に離間する部分に、係合溝の開口部にがたなく嵌合しうる嵌合突部を設けてなる請求項１〜４のいずれかに記載の什器への安定脚の取付構造。
【請求項６】
嵌合突部に、係合溝の奥面と当接する起立片を突設し、この起立片を、係合溝内においてねじにより、係合溝の奥面に固定してなる請求項５記載の什器への安定脚の取付構造。
【発明の詳細な説明】
【技術分野】
【０００１】
本発明は、例えば間仕切りパネル等の什器における支柱の下端部に、間仕切りパネルを床面に安定よく自立させるための安定脚を取付ける取付構造に関する。
【背景技術】
【０００２】
この種の安定脚の取付構造としては、特許文献１に記載されているように、間仕切りパネルの支柱における前後両面の下部に、上下複数のスリットを設け、この上下のスリットに、ブラケットを、フック部材を介して固定するとともに、ブラケットの下端に、前後方向を向く補助ベース(安定脚)をねじにより固定したもの(例えば特許文献１参照)や、間仕切りパネルの支柱(側部枠杆)の側面に、あり溝状の上下方向の係合溝を設け、この係合溝にスライド可能に嵌合した取付けプレートのねじ孔に、前後方向を向く安定脚の中央の起立片を、ねじにより固定するとともに、安定脚の中央部下端に突設した内向突片を、支柱の下端にねじ止めしたもの(例えば特許文献２参照)などがある。
【先行技術文献】
【特許文献】
【０００３】
【特許文献１】特開２００３−１９３５９７号公報
【特許文献２】特開２００５−２３２８６９号公報
【発明の概要】
【発明が解決しようとする課題】
【０００４】
上記特許文献１に記載されているものにおいては、支柱の前後両面に複数のスリットを加工したり、このスリットに係合させるフック部材やブラケットを製作したりする必要があるので、コスト高となり、かつ部品点数や組立工数も多くなるので、安定脚の取付け作業に手間がかかる。
また、ブラケット及びそれを覆うカバーが、支柱の前方及び後方に大きく露呈するので、体裁も悪い。
【０００５】
特許文献２に記載にものにおいては、支柱に特別な加工を施す必要がなく、かつ部品点数も少ないので、安価で体裁もよいという利点がある。
しかし、取付けプレートを上下方向に位置決めして、そのねじ孔に、安定脚の起立片をねじ止めする作業が面倒であり、また、安定脚の内向突片を支柱の下端にねじ止めしているので、その作業も面倒である。
【０００６】
本発明は、上記問題点に鑑みてなされたもので、什器の支柱等への加工及び部品点数を最小限とし、安定脚を低コストで容易に、かつ体裁よく取付けうるようにした什器への安定脚の取付構造を提供することを目的としている。
【課題を解決するための手段】
【０００７】
本発明によると、上記課題は、次の各項のようにして解決される。
（１）床面に載置した上下方向を向く什器の下端部に、什器を床面に安定よく自立させる安定脚を取付ける取付構造であって、前記什器における安定脚の上下方向を向く取付面に、開口部の幅を奥部よりも小とした上下方向の係合溝を設け、この係合溝内に、その開口部側に開口するめねじ孔を有する板ナットを、上下方向に摺動可能に嵌合し、前記安定脚における前記係合溝と対向する側面に、係合溝の開口部を介して係合溝の奥部まで挿入可能な位置決め用の突部を設けるとともに、この突部よりも上方において安定脚に、前記めねじ孔と同方向を向く固定ねじ挿入用の挿入孔を、その中心から前記突部の上面までの上下寸法が、前記板ナットの下端からめねじ孔の中心までの上下寸法とほぼ等しくなるように設け、前記板ナットを、前記係合溝に挿入した前記安定脚の突部の上面により支持して位置決めし、前記挿入孔に挿入した固定ねじを板ナットのめねじ孔に螺合して締め付けることにより、安定脚を什器に取付ける。
【０００８】
このような構成とすると、板ナットの下端から、めねじ孔の中心までの上下寸法と、安定脚の側面に設けた位置決め用の突部の上面から、挿入孔の中心までの上下寸法とをほぼ等しくし、什器に設けた係合溝に挿入した突部の上面に、係合溝に嵌合した板ナットを支持するようにしてあるので、係合溝内において、板ナットを、そのめねじ孔が安定脚の挿入孔と整合するように、上下方向に容易に位置決めすることができる。
従って、挿入孔に挿入した固定ねじを、板ナットのめねじ孔に容易に螺合することができ、什器への安定脚の取付け作業を容易に行うことができる。
また、什器に設けた係合溝に、板ナットを嵌合するのみでよく、安定脚取付用のブラケット等を使用したり、什器に、安定脚を取付けるための特別な加工を施したりする必要がないので、コスト及び部品点数が削減され、かつ安定脚を体裁よく取付けることができる。
【０００９】
（２）上記(１)項において、支柱における係合溝の下端の開口部に、係合溝に嵌合した板ナットを支持しうる塞ぎ材を設けるとともに、板ナットの下面に、安定脚側に向かって斜め上向きに傾斜する被案内面を設け、この被案内面と前記塞ぎ材の上面との間に形成される隙間に、安定脚の突部を挿入しうるようにする。
【００１０】
このような構成とすると、係合溝に落とし込んだ板ナットを、係合溝の下端部内において、塞ぎ材の上面により支持しておき、板ナットの下面の被案内面と塞ぎ材の上面との間の隙間に安定脚の突部を挿入することにより、板ナットが押し上げられて定位置に位置決めされるので、安定脚の取付け作業が極めて容易となる。
また、板ナットを予め係合溝に嵌合しておけるので、什器の上部に付属部材を取付けた後でも、安定脚を什器に取付けたり、取り外したりすることができる。
【００１１】
（３）上記(２)項において、安定脚の突部の上面に、板ナットの被案内面と摺接可能な、什器側に向かって斜め下向きに傾斜する案内面を設ける。
【００１２】
このような構成とすると、安定脚の突部を係合溝に挿入した際に、板ナットの被案内面が、安定脚の突部の上面の案内面と摺接し、板ナットが容易に押し上げられて位置決めされるので、安定脚取付け時の作業性が良好となる。
【００１３】
（４）上記(１)〜(３)項のいずれかにおいて、突部の幅寸法を、係合溝の開口部の幅寸法とほぼ同寸または僅かに小とする。
【００１４】
このような構成とすると、万一、固定ねじが緩んだとしても、安定脚が固定ねじ回りに回動することがなくなる。
【００１５】
（５）上記(１)〜(４)項のいずれかにおいて、安定脚における挿入孔と上下に離間する部分に、係合溝の開口部にがたなく嵌合しうる嵌合突部を設ける。
【００１６】
このような構成とすると、安定脚における挿入孔と上下に離間する部分に、開口部にがたなく嵌合しうる嵌合突部を設けてあるので、安定脚が固定ねじ回りに回動する恐れはさらに小さくなり、什器に安定脚を安定的に取付けることができる。
【００１７】
（６）上記(５)項において、嵌合突部に、係合溝の奥面と当接する起立片を突設し、この起立片を、係合溝内においてねじにより、係合溝の奥面に固定する。
【００１８】
このような構成とすると、什器に、安定脚を強固に取付けることができるとともに、起立片固定用のねじは、係合溝内に位置し、目立たないので、体裁が損なわれることもない。
【発明の効果】
【００１９】
本発明によれば、什器への加工及び部品点数を最小限とし、安定脚を低コストで容易に、かつ体裁よく取付けることができる。
【図面の簡単な説明】
【００２０】
【図１】本発明の一実施形態を適用した空間形成用什器の斜視図である。
【図２】支柱及びそれへの安定脚取付け前の分解斜視図である。
【図３】同じく、支柱及びそれへの安定脚取付け前の縦断正面図である。
【図４】同じく、安定脚取付後の縦断正面図である。
【図５】安定脚の斜視図である。
【発明を実施するための形態】
【００２１】
以下、本発明の実施形態を、図面に基づいて説明する。
図１は、本発明の一実施形態を適用した空間形成用什器、すなわち室内を小空間に仕切る間仕切りパネル(パネルは図示略)の斜視図で、上端部の対向面同士が横杆１により連結された４本の支柱２の下端部の一側面には、安定脚３が、対向状に取付けられている(詳細は後述する)。なお、各支柱２への安定脚３の取付構造は共通であるので、以下においては、図１における最右方に位置する支柱２への安定脚３の取付構造についてのみ説明する。
【００２２】
図２に示すように、支柱２は、アルミニウム合金等により角管状に形成され、その前後左右の４面(便宜上、図２の斜め右手前の面を前、斜め左手前の面を左として説明する)には、それぞれ、開口部の幅が奥部の幅よりも小さなあり溝状の係合溝４が、上下方向に全長に亘って形成されている。
【００２３】
支柱２の下端には、支柱２の前後左右寸法と等しい方形をなす塞ぎ材５が、その上面中央に立設された上向角形杆６を、支柱２の角形をなす中空孔７の下端部に嵌合することにより取付けられ、塞ぎ材５と上向角形杆６との中心に貫設された上下方向のめねじ孔８には、高さ調節用アジャスタ９における雄ねじ部１０が、下方より螺合されている。
【００２４】
安定脚３は、上下寸法が左端に向かって漸次小とされ、かつ上面が蒲鉾形に湾曲する左右方向を向くベース脚部３ａと、その右端部の上面より起立する取付部３ｂとを備え、それらの右側面は、垂直面をなすとともに、前後寸法は、支柱２の前後幅とほぼ等しくされている。
【００２５】
図３に示すように、ベース脚部３ａの左端部に形成された下方に開口する方形孔１１には、雌ねじ筒１２が圧嵌され、この雌ねじ筒１２には、高さ調節用アジャスタ１３における上向きの雄ねじ部１３ａが螺合されている。
【００２６】
図５にも示すように、取付部３ｂの上端部の右側面には、支柱２における係合溝４の開口部にがたなく嵌合可能な右側方を向く嵌合突部１４ａと、その右端より起立し、右側面が係合溝４の奥面と当接可能な起立片１４ｂとからなる正面視左向きＬ字状断面の固定片１４が突設されている。
取付部３ｂの下端部と、起立片１４ｂの中間部とには、それぞれ、後記する固定ねじ２３、２４を挿通するための挿入孔である段付孔１５と通孔１６とが穿設されている。
【００２７】
安定脚３の右側面の中央部には、係合溝４内に嵌合されて、後記する板ナット１８を上下に位置決めするための位置決め用突部１７が突設されている。この突部１７の前後寸法(幅寸法)は、支柱２の係合溝４の開口部の幅寸法とほぼ同寸または僅かに小とされ、かつ縦断面形状は、図３に示すように、基端部を除く上面が先端に向かって斜め下向きに傾斜する案内面１７ａとされた、正面視概ね楔形断面を呈している。なお、この案内面１７ａは、安定脚３を支柱２に装着する際、後記する板ナット１８の被案内面２１に摺接して、板ナット１８を押上げるためのものであるが、突部１７の先端に向かって凸円弧状に傾斜する案内面としてもよい。
【００２８】
支柱２の係合溝４には、板状基部１８ａと、その左側面の中央部に突設された角形突部１８ｂとからなる、安定脚３固定用の板ナット１８が嵌合されている。板状基部１８ａの前後寸法と左右寸法は、支柱２の左側面の係合溝４内を上下方向に摺動しうるように、係合溝４の内寸よりも僅かに小とされている。
また角形突部１８ｂの前後寸法は、係合溝４の開口部における内向片１９、１９の対向面間に摺動可能に嵌合されるように、それらの対向面の離間寸法よりも僅かに小とされている。
【００２９】
角形突部１８ｂの上面と下面には、それぞれ、先端に向かって斜め下向きに傾斜する被案内面２０と、斜め上向きに傾斜する被案内面２１とが形成されている。なお、上部の被案内面２０は、板ナット１８を上下反転させて使用する際に、上述した案内面１７ａに摺接するものであり、従って、板ナット１８を上下反転させて使用しないときには、上部の被案内面２０は省略してもよい。
また、下部の被案内面２１は、角形突部１８ｂの先端に向かって凸円弧状に傾斜するものとしてもよい。
【００３０】
板ナット１８の中央部には、左右方向を向くめねじ孔２２が、角形突部１８ｂを貫通するようにして穿設されている。なお、板ナット１８の下端面から、めねじ孔２２の中心までの上下寸法は、安定脚３における突部１７の上端面(案内面１７ａの上端)から、段付孔１５の中心までの上下寸法とほぼ等しくしてある。
【００３１】
安定脚３を支柱２に取付けるには、まず図３に示すように、支柱２の下面に塞ぎ材６とアジャスタ９を予め装着した状態で、板ナット１８を、支柱２の側面の嵌合溝４に、その上端より落とし込んで挿入し、塞ぎ材５の上面に当接させて保持する。なお、各支柱２における安定脚３の取付面の上端部同士を横杆１により連結する際には、係合溝４への板ナット１８の挿入の妨げになることがあるので、横杆１を取付ける前に、板ナット１８を予め係合溝４に挿入しておけばよい。
【００３２】
ついで、安定脚３の固定片１４と、位置決め用の突部１７とを、支柱２の左側面の係合溝４の下端部内に、突部１７の案内面１７ａの先端部が、板ナット１８の下面の被案内面２１の直下に位置するようにして、側方より嵌合する。すると、突部１７の案内面１７ａが、板ナット１８の被案内面２１に摺接することにより、板ナット１８は、図４に示すように、突部１７の上端面と同位置まで押し上げられ、位置決めされる。
すなわち、上述したように、板ナット１８の下端面から、めねじ孔２２の中心までの上下寸法を、安定脚３における突部１７の上端面から、段付孔１５の中心までの上下寸法とほぼ等しくしてあるので、段付孔１５とめねじ孔２２とがほぼ同心をなすように、板ナット１８が上下方向に位置決めされる。
なお、塞ぎ材５の上面に当接させた板ナット１８を、指や工具等により上方に移動させ、板ナット１８と塞ぎ材５との間に安定脚３の突部１７を挿入し、突部１７の上端に板ナット１８を載置することにより、板ナット１８を位置決めしてもよく、あるいは、上記手順とは反対に、先に安定脚３の突部１７を係合溝４に挿入したのち、板ナット１８を係合溝４に上方より落とし込み、この板ナット１８を突部１７の上端面に当接させて位置決めしてもよい。この際には、突部１７の上面及び板ナット１７の下面に設けた案内面１７ａと被案内面２１は省略することができる。
【００３３】
このようにして、板ナット１８を位置決めしたのち、図４に示すように、段付孔１５に挿入した六角孔付き固定ねじ２３を、板ナット１８のめねじ孔２２に螺合して締め付ける。すると、板ナット１８が係合溝４の開口部の内向片１９、１９の裏面に圧接することにより、安定脚３は支柱２側に引き寄せられ、その左側面に強く当接する。
【００３４】
最後に、固定片１４の起立片１４ｂに設けた通孔１６に、固定ねじ２４を挿入し、この固定ねじ２４を、係合溝４の奥面の垂直片２５に穿設した通孔２６を介して、塞ぎ材５の上向角形杆６に設けためねじ孔２７に螺合して締め付けることにより、固定片１４を係合溝４の奥面に固定する。これにより、安定脚３は、支柱２の下端部の側面に強固に、かつ体裁よく取り付けられる。
この際、上記垂直片２５にめねじ孔を設け、このめねじ孔に固定ねじ２４を螺合させて、起立片１４ｂを係合溝４の奥面に固定するようにしてもよい。
なお、突部１７及び固定片１４の嵌合突部１４ａは、係合溝４の開口部にがたなく嵌合され、安定脚３が固定ねじ２３回りに回動する恐れがないので、必ずしも、固定片１４に起立片１４ｂを連設して、これを係合溝４の奥面に固定する必要はなく、従って、支柱２や塞ぎ材５に、めねじ孔２７を加工するのを省略することができる。
【００３５】
以上説明したように、上記実施形態の安定脚の取付構造においては、板ナット１８の下端面から、めねじ孔２２の中心までの上下寸法を、安定脚３における突部１７の上端面から、段付孔１５の中心までの上下寸法とほぼ等しくし、安定脚３の一側面に突設した位置決め用の突部１７を、支柱２に設けたあり溝状の係合溝４に側方より挿入し、係合溝４に落とし込んだ板ナット１８を突部１７の上端面により支持することにより、係合溝４内において、板ナット１８を、そのめねじ孔２２が安定脚３の段付孔１５と整合するように、上下方向に容易に位置決めすることができる。
従って、段付孔１５に挿入した固定ねじ２３を、板ナット１８のめねじ孔２２に容易に螺合することができ、支柱２の側面への安定脚３の取付け作業性が極めて良好となり、かつ間仕切りパネルを組み立てた後でも、支柱２に安定脚３を容易に後付けしたり、取り外したりすることもできる。
【００３６】
また、支柱２に設けた係合溝４に、板ナット１８を嵌合するのみでよいので、支柱２に、安定脚３を取付けるための加工を施す必要がないか、もしくは、固定片１４を固定するためのめねじ孔２７を設けるだけでよいので、コスト低減が図れ、かつ部品点数も削減される。
【００３７】
本発明は、上述した空間形成用の什器の外、例えば床面に自立させる衝立や間仕切りパネル単体等に安定脚３を取付ける際にも適用することができる。この際には、衝立等の安定脚取付け面に、上下方向を向くあり溝状の係合溝４を設ければよい。
【符号の説明】
【００３８】
１  横杆
２  支柱
３  安定脚
３ａベース脚部
３ｂ取付部
４  係合溝
５  塞ぎ材
６  上向角形杆
７  中空孔
８  めねじ孔
９  アジャスタ
１０  雄ねじ部
１１  方形孔
１２  雌ねじ筒
１３  アジャスタ
１３ａ雄ねじ部
１４  固定片
１４ａ嵌合突部
１４ｂ起立片
１５  段付孔(挿入孔)
１６  通孔
１７  突部
１７ａ案内面
１８  板ナット
１８ａ板状基部
１８ｂ角形突部
１９  内向片
２０  被案内面
２１  被案内面
２２  めねじ孔
２３  固定ねじ
２４  固定ねじ
２５  垂直片
２６  通孔
２７  めねじ孔
【図１】
2011147519.tif 000003
【図２】
2011147519.tif 000004
【図３】
2011147519.tif 000005
【図４】
2011147519.tif 000006
【図５】
2011147519.tif 000007